(57)【要約】【課題】  片手でも着火動作が可能であり、簡便な動作で確実に点火し、より少ない部品数で構成された信号筒点火装置の提供。【解決手段】信号筒に装着自在に形成された保持部と、閉状態で前記保持部とともに信号筒頭部を被覆可能な有蓋円筒形状を形成する回動蓋からなる信号筒点火装置であって、前記保持部は、信号筒を圧入可能に形成された基部周壁及び該基部周壁より上方へ延設する前周壁を備え、前記回動蓋は、信号筒頂部を被覆可能な天板と、該天板より略垂設する周壁を備え、前記回動蓋は該周壁に設けたヒンジ部を介して保持部の基部周壁に回動自在に取り付けられ、該回動蓋の開動作中に天板の裏側に具備された摺付薬が信号筒頂部の発火薬に摺動可能に形成された信号筒点火装置。【選択図】  図７
2014025655.tif 000002
【特許請求の範囲】
【請求項１】
信号筒に装着自在に形成された保持部と、閉状態で前記保持部とともに信号筒頭部を被覆可能な有蓋円筒形状を形成する回動蓋からなる信号筒点火装置であって、前記保持部は、信号筒を圧入可能に形成された基部周壁及び該基部周壁より上方へ延設する前周壁を備え、前記回動蓋は、信号筒頂部を被覆可能な天板と、該天板より略垂設する周壁を備え、前記回動蓋は該周壁に設けたヒンジ部を介して保持部の基部周壁に回動自在に取り付けられ、該回動蓋の開動作中に天板の裏側に具備された摺付薬が信号筒頂部の発火薬に摺動可能に形成された信号筒点火装置。
【請求項２】
前記天板の前方中央には、先端にかけて斜め下方に傾斜する傾斜部が形成されており、前記摺付薬が該傾斜部の裏側に設けられていることを特徴とする請求項１に記載の信号筒点火装置。
【請求項３】
前記回動蓋の周壁には、指を掛けて押し下げ可能な押し下げ部が設けられていることを特徴とする請求項１または請求項２のいずれかに記載の信号筒点火装置。
【請求項４】
前記回動蓋の天板は、後半分が後方に向けて高くなる傾斜面が設けられたことを特徴とする請求項１ないし請求項３のいずれか１項に記載の信号筒点火装置。
【請求項５】
前記信号筒が、紙筒内に発炎筒用料薬が充填され、円筒頂部に発火薬が備えられている発炎筒であることを特徴とする請求項１ないし請求項４のいずれか１項に記載の信号筒点火装置。
【発明の詳細な説明】
【技術分野】
【０００１】
本発明は、発炎又は発煙剤を充填した信号筒の点火装置に関し、更に詳細には、一回の動作で確実に点火が可能な一挙動式の点火装置に関する。
【背景技術】
【０００２】
従来、発炎又は発煙剤を充填した信号筒の点火装置として、一挙動式のものと二挙動式のものが知られている。これらのうち、二挙動式のものは、摺付薬等が設けられた蓋体を信号筒本体から取り外し、さらに、かかる摺付薬等を信号筒本体の発火薬に擦って着火させるという二つの動作が必要であった。それに対し、一挙動式のものは、着火動作をより簡略化し、蓋体を信号筒本体から取り外すと同時に、蓋体内部に設けた摺付薬と信号筒本体の発火薬が摩擦して着火するという一動作で着火が行えるというものであり、非常時・緊急時には、より簡易に着火が行える一挙動式の方が有利であった。
【０００３】
例えば、かかる一挙動式の点火装置として、特許文献１には、キャップを取り除いたときに該キャップに一端が固定されたフレキシブル部材の擦り薬が信号筒の発火薬と摩擦することによって着火させることができる一挙動点火機構が開示されている。
【０００４】
しかしながら、このものは、両手を用いて着火動作を行わなければならず、緊急時で片手が塞がっている場合や負傷している場合など、着火が困難な場合があった。また、キャップを外してから点火するまでの動作距離が長いため、点火の確実性が十分ではないものと想定される。そして、特許文献１の方法によれば、引き手を発炎方向に引くおそれがあるため、作業者の危険性が高くなることが予想される。さらに、その構成が複雑になる分、部品点数が多くなり、製造コストが嵩むとともに、不良・不具合が発生する確率が高くなるものと思われる。
【０００５】
【特許文献１】特開２００６−９７９２９
【発明の開示】
【発明が解決しようとする課題】
【０００６】
そこで本発明は、従来の一挙動式の点火装置のかかる欠点を克服し、片手で着火動作を行うことができ、簡便な動作で安全且つ確実に点火し、より少ない部品数で構成された信号筒点火装置の提供をその課題とするものである。
【課題を解決するための手段】
【０００７】
本発明は、上記課題を解決するものであり、信号筒に装着自在に形成された保持部と、閉状態で前記保持部とともに信号筒頭部を被覆可能な有蓋円筒形状を形成する回動蓋からなる信号筒点火装置であって、前記保持部は、信号筒を圧入可能に形成された基部周壁及び該基部周壁より上方へ延設する前周壁を備え、前記回動蓋は、信号筒頂部を被覆可能な天板と、該天板より略垂設する周壁を備え、前記回動蓋は該周壁に設けたヒンジ部を介して保持部の基部周壁に回動自在に取り付けられ、該回動蓋の開動作中に天板の裏側に具備された摺付薬が信号筒頂部の発火薬に摺動可能に形成された信号筒点火装置である。
【発明の効果】
【０００８】
本発明にかかる信号筒点火装置は、片手で信号筒を保持すると共に回動蓋を開くことにより、回動蓋の天板に設けた摺付薬紙が信号筒頂部の発火薬に摺動し、点火することができる。そして、回動蓋を開く操作の動作距離も短いため、点火の確実性も向上する。また、本発明は、少ない部品により簡潔に構成されるため、製造コストを低減できるとともに、不良・不具合が発生する確率を抑えることができる。さらに、引き手を発炎方向に引くおそれがないため、作業者の安全を確保することができる。
【図面の簡単な説明】
【０００９】
【図１】本発明の信号筒点火装置の正面図
【図２】本発明の信号筒点火装置の側面図
【図３】本発明の信号筒点火装置の天面図
【図４】本発明の信号筒点火装置の背面図
【図５】本発明の信号筒点火装置の底面図
【図６】本発明の信号筒点火装置の開状態における側面図
【図７】（ａ）、（ｂ）、（ｃ）本発明の信号筒点火装置の一連の開動作をあらわす一部切り欠き断面図
【発明を実施するための形態】
【００１０】
以下、本発明の信号筒点火装置の実施態様を、図面に基づいて具体的に説明する。なお、本発明はこれら実施態様に何ら制約されるものではない。
【００１１】
図１は本発明の信号筒点火装置の正面図、図２は同側面図、図３は同天面図、図４は同背面図、図５は同底面図、図６は本発明の信号筒点火装置の開状態における側面図である。図中、１は信号筒点火装置、２は保持部、３は回動蓋、２１は前周壁、２２は基部周壁、２３は開口部、３１は天板、３２は後周壁、３３は下部周壁、３４はヒンジ部、３５は押し下げ部、３６は摺付薬紙、２１１は被係合部、２１２は係止凹部、３１１は傾斜部、３１３は係止凸部、３３１は係合片部、３４１は軸部をそれぞれ示す。
【００１２】
図１ないし図６に示すように、本発明の信号筒点火装置１は、基本的な態様として信号筒に装着可能に形成された保持部２と、保持部２に回動自在に取り付けられた回動蓋３により構成されている。回動蓋３は、その開閉操作が回動によってなされ、閉じた状態では信号筒頂部を被覆し、開いた状態で信号筒頂部が露出するように設けられている。以下、各部材について詳述する。
【００１３】
図に示すように、保持部２は、円筒状の基部周壁２２と、かかる基部周壁２２から上方へ延設する半円筒状の前周壁２１により構成される。基部周壁２２の開口部２３はその内径が信号筒を圧入可能な寸法に形成されており、この開口部２３に信号筒の頭部を圧入することにより信号筒本体を保持することができる。前周壁２１は、信号筒に装着した状態で信号筒外周面の片側半分を被覆するように形成されており、前周壁２１の下部両側には他の周壁よりやや肉薄に形成された被係合部２１１が設けられ、さらに、前周壁２１の上端には係止凹部２１２が凹設されている。
【００１４】
回動蓋３は、信号筒頂部を被覆可能な天板３１と、天板３１から略垂設する半円筒形状の後周壁３２と、後周壁３２より下方へ延設する下部周壁３３、さらに、下部周壁３３に形成されたヒンジ部３４および押し下げ部３５とからなる。かかる後周壁３２と下部周壁３３は、保持部２の前周壁２１と対向して設けられており、回動蓋３が閉じた状態で、前周壁２１とともに信号筒の頭部全体を被覆する有蓋円筒形状を形成する。
【００１５】
回動蓋３の下部周壁３３には、その両側面部にヒンジ部３４が垂設されており、かかるヒンジ部３４の軸部３４１を支点として、回転蓋３は保持部２の基部周壁２２へ回動自在に取り付けられている。ヒンジ部３４の軸部３４１の取り付け位置は、保持部２の真横に相当する両側であり、かかる軸部３４１を支点として、回転蓋３は閉状態から後方へ最大開き角度が約７０度まで回動するように形成されている（図６）。
【００１６】
下部周壁３３には、後周壁３２の両端部よりも正面方向へ延設し、前周壁２１の被係合部２１１に係合可能な係合片部３３１が形成されている。かかる係合片部３３１は、前周壁２１を挟んで左右から対向しており、被係合部２１１の曲面に沿って形成されているため、その端部における間隔が被係合部２１１部分の外径よりも狭くなるっている。このため、回動蓋３の閉状態において、係合片部３３１が前周壁２１の被係合部２１１部分を抱えるように保持し、これにより回転蓋３が保持部２に固定される。
【００１７】
回動蓋３の天板３１は、後半分が後方に向けて徐々に高くなる傾斜面が設けられている。また、天板３１の前半分は水平に形成され、その前方中央に先端部が鍔状に突出する傾斜部３１１が設けられている。傾斜部３１１はその先端にかけて斜め下方に傾斜して形成され、同様に傾斜しているその裏側には摺付薬を塗布した摺付薬紙３６が貼付されている。なお、傾斜部３１１の傾斜方向は、回動蓋３の回動に伴う摺付薬紙３６の軌道に沿ったものであり、かつ、その傾斜角度は、回転蓋３の開動作により、摺付薬紙３６が信号筒頂部の着火剤４１に適切に摺動し、摩擦によって点火するのに適切な角度とすることが好ましい。また、天板３１の周縁の裏側には、前周壁２１の係止凹部２１２と係止可能な係止凸部３１３が形成されている。なお、本実施態様では、傾斜部３１１の裏側に摺付薬を塗布した摺付薬紙３６が貼付されているが、摺付薬を回転蓋３に具備する方法はこれに限らず、例えば、傾斜部３１１の裏側に摺付薬を直接塗布してもよい。
【００１８】
回動蓋３の押し下げ部３５は、下部周壁３３の背面側から後方に水平方向へ突出して指を掛けられるように設けられている。かかる押し下げ部３５に指を掛けて押し下げることにより、ヒンジ部３４の軸部３４１を支点にして、回転蓋３が回動して開状態となる。
【００１９】
以下に、図７（ａ）ないし（ｃ）により、一連の開動作を説明する。なお、これらの図では、一連の動作において回動蓋３と信号筒４との関係が視認しやすいよう、天板３１、前周壁２１、後周壁３２部分のみ切り欠いて断面で表している。図７（ａ）は、本発明の信号筒点火装置１が信号筒４の頭部から装着された状態で、回転蓋３は閉状態となっている。信号筒４の頂部には、発火薬４１が頂面より突出するように形成されており、閉状態では、天板３１により被覆された状態となっている。この状態において、まず、使用者は信号筒４の本体部分を保持しつつ、指（好ましくは親指）で押し下げ部３５に対し下方向への力を加える。
【００２０】
このとき、回動蓋３の係合片部３３１が保持部２の被係合部２１１を抱えるようにして係合し、さらに、係止凸部３１３が係止凹部２１２に係止しているため、所定の力が加わるまでは、それらの係合・係止が外れず、開動作が開始されない。そして、さらに押し下げ部３５に対し下方向への力を加えて所定の押圧となったときに、係止凸部３１３と係止凹部２１２の係止が外れ、さらに、係合片部３３１が外側へと撓み、被係合部２１１との係合が外れる。それにより、回動蓋３の回動が開始し、図７（ｂ）に示すように、開動作の途中において摺付薬紙３６が信号筒４の発火薬４１上を摺動しながら通過する。なお、図７（ａ）から図７（ｂ）に至る段階において、天板３１は後方に向けて高くなる傾斜面を設けているため、信号筒４の頭部に干渉して開動作を妨げるおそれはない。また、傾斜部３１１はその先端にかけて斜め下方に傾斜して形成されているため、摺付薬紙３６を最も好ましい角度で発火薬４１に摺動させることができる。そして、図７（ｃ）に示すように、押し下げ部３５の押し上げを続けることで開動作が継続して信号筒４の発火薬４１が完全に露出し、さらに押し上げを続けると、下部周壁３３の下端が周壁基部２２に当接し開動作が完了する。
【００２１】
上述のように、係合片部３３１の係合が外れて開動作が開始するまで押し下げ部３５に対し力を加え続け、係合片部３３１の係合が外れた瞬間に一気に回動蓋３が回動するため、摺付薬紙３６の通過速度が上がるとともに一定となり、より確実に発火薬４１を点火することができる。摺付薬紙３６は、回動蓋３の回動に伴い軸部３４１を中心とする円軌道を描いて移動するため、短い動作距離で点火することが可能となる。また、この円軌道の径を摺付薬紙３６が信号筒頂部の発火薬４１に適切に摺動する範囲でなるべく小さくなるように設定すれば、より動作距離が短くなるため好ましい。また、摺付薬紙３６が信号筒４の発火薬４１上を摺動しながら通過する際、摺付薬紙３６と発火薬４１との間に適度な摩擦力が生じるよう、摺付薬紙３６の軌道は着火剤４１の頂部よりやや低くなるよう設定し、押圧を上げることが好ましい。さらに、傾斜部３１１に可撓性を持たせて摺付薬紙３６の摺動時に傾斜部３１１が撓むようにすれば、発火薬４１の高さのバラツキを吸収することができるため、好ましい。
【００２２】
本発明の信号筒点火装置１を構成する保持部２および回動蓋３は、それぞれ、真空注型により一体的に形成されている。このように、一体成型することにより、部品数を低減することができ、製造コストを抑えることができる。また、それぞれの部材の好ましい材料としては、ポリプロピレン、ポリエチレン、塩化ビニル樹脂、ポリスチレン、ＡＢＳ樹脂、メタクリル樹脂、ポリエチレンテフレタート、ポリアミド、ポリカーボネート、ポリアセタール、ポリブチレンテレフタレート、変性ポリフェニレンエーテル等が挙げられ、より好ましくは、ポリエチレン、ポリプロピレンの可撓性を有する汎用樹脂である。
【００２３】
本発明の信号筒点火装置１は、自動車用等に用いられる一般的に発炎筒について使用可能であるが、好ましくは、紙筒内に料薬（粒状発炎剤、固体状発炎剤）が充填され、円筒頂部に発火薬が備えられている発炎筒を挙げることができる。
【符号の説明】
【００２４】
１  …  …  信号筒点火装置
２  …  …  保持部
３  …  …  回動蓋
４  …  …  信号筒
２１  …  …  前周壁
２２  …  …  基部周壁
２３  …  …  開口部
３１  …  …  天板部
３２  …  …  後周壁
３３  …  …  下部周壁
３４  …  …  ヒンジ部
３５  …  …  押し下げ部
３６  …  …  摺付薬紙
４１  …  …  発火薬
２１１  …  …  被係合部
２１２  …  …  係止凹部
３１１  …  …  傾斜部
３１３  …  …  係止凸部
３３１  …  …  係合片部
３４１  …  …  軸部
【図１】
2014025655.tif 000003
【図２】
2014025655.tif 000004
【図３】
2014025655.tif 000005
【図４】
2014025655.tif 000006
【図５】
2014025655.tif 000007
【図６】
2014025655.tif 000008
【図７】
2014025655.tif 000009